(57)【要約】【課題】複数種類の液剤を選択的に供給し得るキッチン用の流し台を提供する。【解決手段】シンク１４へ湯水を供給する蛇口１６を備えたキッチン用の流し台１０に、液剤を供給する液剤供給ノズル２４を配設する。前記液剤供給ノズル２４は、所要数の液剤吸入管３８と分岐的に連通する液剤供給管２６に連通接続される。前記各液剤吸入管３８は、流し台１０の内部に複数配置されて所望の液剤が貯留される液剤貯留タンク２８の夫々に接続され、この液剤吸入管３８と前記液剤供給管２６との連通は、切替弁３０によって選択的に切り替えられる。また、前記切替弁３０で切り替えられて連通する側の液剤吸入管３８から液剤貯留タンク２８中の液剤を吸引して前記液剤供給ノズル２４に供給するポンプ３２を配設すると共に、液剤の切り替え選択を行なう切替スイッチ４２ａが、前記流し台１０の所要位置に取付けられる。【選択図】図１
2006150048.tif 000002
【特許請求の範囲】
【請求項１】
排水管(12)が底部に開口するシンク(14)と、このシンク(14)へ湯水を供給する蛇口(16)とを備えたキッチン用の流し台(10,50,58)において、
前記流し台(10,50,58)に配設され、その開口部(36)を前記シンク(14)の上方に臨ませた単一の液剤供給ノズル(24)と、
前記液剤供給ノズル(24)に一端部が連通接続すると共に、他端部が所要数の液剤吸入管(38)に分岐的に連通する液剤供給管(26)と、
前記液剤吸入管(38)の夫々に個別に連通し、所望の液剤が貯留される複数の液剤貯留タンク(28)と、
前記液剤供給管(26)と各液剤吸入管(38)との分岐部に設けられ、前記夫々の液剤貯留タンク(28)に接続している各対応の液剤吸入管(38)と該液剤供給管(26)との連通を選択的に切り替える切替弁(30)と、
前記液剤供給管(26)の途中に設けられ、前記切替弁(30)で切り替えられて連通する側の液剤吸入管(38)から液剤貯留タンク(28)中の液剤を吸引して前記液剤供給ノズル(24)に供給するポンプ(32)と、
前記流し台(10,50,58)に配設され、前記切替弁(30)に制御手段(34)を介して指令を出して、所望の液剤貯留タンク(28)に切り替える液剤選択手段(42)とから構成した
ことを特徴とするキッチン用の流し台。
【請求項２】
前記液剤選択手段(42)は、前記液剤貯留タンク(28)の配設数に応じた数の選択ボタンで構成される請求項１記載のキッチン用の流し台。
【請求項３】
前記液剤選択手段(42)は、前記液剤貯留タンク(28)の配設数に応じた切替接点を有する切替スイッチ(42a)として構成される請求項１記載のキッチン用の流し台。
【請求項４】
前記液剤選択手段(42)は、前記液剤貯留タンク(28)の配設数に応じた数の非接触センサ(56)で構成される請求項１記載のキッチン用の流し台。
【請求項５】
前記複数の液剤貯留タンク(28)は、流し台(10,58)の内部に設けられる請求項１記載のキッチン用の流し台。
【請求項６】
前記複数の液剤貯留タンク(28)と、切替弁(30)と、ポンプ(32)とを外部の１箇所に集中的に配置し、前記ポンプ(32)から導出した所要数の液剤供給管(26)を、多数の流し台(50)における各シンク(14)の液剤供給ノズル(24)に個別に接続し、夫々の液剤供給ノズル(24)に開閉弁(54)を設けるよう構成した請求項１記載のキッチン用の流し台。
【請求項７】
前記蛇口(16)に接続する湯水供給管(18)から分岐した洗浄水供給管(46)を洗浄弁(44)を介して前記液剤供給管(26)に接続し、異なる種類の液剤を使用するに先立ち該洗浄弁(44)を開放することで、前記湯水供給管(18)からの湯水を該液剤供給ノズル(24)に供給してノズル洗浄を行なうようにした請求項１記載のキッチン用の流し台。
【発明の詳細な説明】
【技術分野】
【０００１】
この発明は、キッチン用の流し台に関するものであって、更に詳細には、家庭や業務用の流し台のシンクに所望の液剤をノズルから供給し得るようにしたキッチン用の流し台に関するものである。
【背景技術】
【０００２】
家庭の台所や飲食店等の厨房における流し台には、シンクに湯水を供給する蛇口が配設されて、料理や食器の洗浄等に供されている。また、前記シンクの周辺位置には、食器洗い用の液体洗剤やシンク等を洗う液体クレンザー等を詰めたボトルが配置され、使用者は洗浄の都度、該ボトルを配置場所から取り出し、内部の液剤を押し出して食器洗浄等を行なう。
【０００３】
このように、食器洗いや、シンク周りの洗浄を行なう際は、使用の度にボトルを取り出す煩雑さがある。また、ボトルを取り出す際に、手の汚れや泡が該ボトルやシンクの周りに付着し、衛生上の問題を生ずる難点もある。
【０００４】
そこで、上記の問題を解決するものとして、特許文献１には、流し台等に配設された水道水のノズルの胴部に洗剤通路を設け、該流し台の内部の容器に貯留された洗剤をスイッチ操作でポンプ供給し、該ノズルの開口部から該洗剤を供給し得るようにした液剤供給装置が開示されている。この液剤供給装置によれば、スイッチ操作によって洗剤を抽出し得るので、使用毎にボトルを取り出す手間が省かれ、該ボトルが汚れたりすることも防止される。
【特許文献１】特開平５−１９２２６５号公報
【発明の開示】
【発明が解決しようとする課題】
【０００５】
ところが、前記特許文献１に記載の液剤供給装置は１種類の洗剤しか供給できないので、例えば前記容器に食器洗い用洗剤が貯留されていると仮定すると(流し台に手洗い用石鹸が配設されていない場合)、手洗いのためにわざわざ洗面所へ行かねばならなかった。こうした場合、前記流し台に手洗い用の石鹸を別途置いておけばよいが、該石鹸を置くことによって流し台が汚れたり、スペース効率が悪くなったりしてしまう問題がある。更に、シンク洗浄のためのクレンザー等を配置したりすると、流し台のスペースが更に限られてしまい、より煩雑になってしまう欠点が指摘される。
【０００６】
そこで本発明は、従来技術に係るキッチン用の流し台に内在する前記諸問題に鑑み、これらを好適に解決するべく提案されたものであって、複数種類の液剤を１つのノズルから選択的に供給し得るようにしたキッチン用の流し台を提供することを目的とする。
【課題を解決するための手段】
【０００７】
前記課題を克服し、所期の目的を達成するため、本発明に係るキッチン用の流し台は、
排水管が底部に開口するシンクと、このシンクへ湯水を供給する蛇口とを備えたキッチン用の流し台において、
前記流し台に配設され、その開口部を前記シンクの上方に臨ませた単一の液剤供給ノズルと、
前記液剤供給ノズルに一端部が連通接続すると共に、他端部が所要数の液剤吸入管に分岐的に連通する液剤供給管と、
前記液剤吸入管の夫々に個別に連通し、所望の液剤が貯留される複数の液剤貯留タンクと、
前記液剤供給管と各液剤吸入管との分岐部に設けられ、前記夫々の液剤貯留タンクに接続している各対応の液剤吸入管と該液剤供給管との連通を選択的に切り替える切替弁と、
前記液剤供給管の途中に設けられ、前記切替弁で切り替えられて連通する側の液剤吸入管から液剤貯留タンク中の液剤を吸引して前記液剤供給ノズルに供給するポンプと、
前記流し台に配設され、前記切替弁に制御手段を介して指令を出して、所望の液剤貯留タンクに切り替わる液剤選択手段とから構成したことを特徴とする。
【発明の効果】
【０００８】
本発明に係るキッチン用の流し台によれば、複数種類の液剤をシンクに選択的に供給し得るよう構成したので、用途に合わせて各種様々な液剤を供給できる。従って、液剤の１つに手洗い用洗剤を使用した場合、キッチンでも手洗いをすることが可能となり、わざわざ洗面所まで行く必要がない。また、液剤用のボトルやクレンザー等をシンクの周りに配置する必要がないので、流し台がスッキリして、不衛生になることもない。
【０００９】
また、前記液剤選択手段として選択ボタンや切替スイッチを用いれば、液剤の切り替え・選択を容易に行ない得る。更に、前記液剤選択手段を非接触センサによって構成すれば、該選択手段に触れずに液剤の選択を行ない得るので、手指に付着した洗剤等で選択手段や流し台が汚れることなく衛生的である。
【００１０】
前記複数の液剤貯留タンクを流し台の内部に設けた場合には、キッチンで該タンクが邪魔にならず、キッチンのスペースを有効に活用できる。また、前記液剤貯留タンク、切替弁およびポンプを外部の１箇所に集中的に配設すると共に、これらを多数の流し台で共有すれば、敷設コストが抑えられて、液剤貯留タンクへの液剤の補給・交換も効率的になる。更に、異なる種類の液剤を使用するに先立ち、湯水を液剤供給ノズルに供給してノズル洗浄を行なうようにしたので、以前に使用した異なる液剤が混ざって供給されることが防止される。
【発明を実施するための最良の形態】
【００１１】
次に、本発明に係るキッチン用の流し台につき、好適な実施例を挙げて、添付図面を参照して以下に説明する。
【実施例１】
【００１２】
図１は、実施例１に係るキッチン用の流し台１０を示す説明断面図であって、この流し台１０は、一般家庭のキッチンや飲食店の厨房等、種々のキッチンにおいて配設し得るものである。キッチン用の流し台１０は、配水管１２が底部に開口するシンク１４と、このシンク１４へ湯水を供給する蛇口１６とを備え、該蛇口１６は、前記流し台１０内部の湯水供給管１８と連通している。この湯水供給管１８は、前記流し台１０の外部に配設された図示しない水道系およびボイラーに接続されており、前記蛇口１６から水道水および温水を選択的に供給し得るようになっている。更に、前記流し台１０の前面側(図１の左側)には開口部２０が開設され、該開口部２０は、扉２２によって開閉可能に閉成される。
【００１３】
前記流し台１０は、液剤をシンク１４に供給する液剤供給ノズル２４および液剤供給管２６と、各種液剤が貯留される複数(実施例１では３つ)の液剤貯留タンク２８と、該液剤供給管２６と各液剤貯留タンク２８との連通を選択的に切り替える切替弁３０と、該液剤供給ノズル２４に液剤を供給するポンプ３２と、所望の液剤を選択するよう制御手段３４を介して指令を出す液剤選択手段４２とから構成されている。
【００１４】
前記流し台１０における蛇口１６に隣接した位置に配設されて、所望の液剤を注出し得る単一の液剤供給ノズル２４は、開口部３６が開設された一方の端部を該シンク１４の上方に臨ませている。また、この液剤供給ノズル２４の他方端は、流し台１０の内部に配設されて液剤が供給される液剤供給管２６と連通接続している。液剤供給管２６は、その下方端が、所要数(実施例１では３つ)の液剤吸入管３８に分岐的に連通すると共に、流し台１０の内部から突出した上端部に、前記ポンプ３２と電気的に接続して液剤の供給を開始させる液剤供給ボタン４０が配設されている。そして、使用者が前記液剤供給ボタン４０を押すことで、ポンプ３２は液剤を吸入して、液剤供給ノズル２４へ供給するようになっている。
【００１５】
前記液剤吸入管３８の夫々は、流し台１０の内部に配置されて、所望の液剤が貯留される複数(実施例では３つ)の液剤貯留タンク２８の夫々と連通接続している。また、各液剤貯留タンク２８は、内部に所要量の液剤を貯留し得るようボトル状に形成されて、前記流し台１０の内部底面に載置されるようになっている。なお、実施例１においては、液剤として食器洗い用洗剤、手洗い用洗剤およびシンク洗い用クレンザーの３種が、夫々、図１の左・中・右側に配設された液剤貯留タンクＡ〜Ｃに貯留されているものとする。但し、夫々の液剤貯留タンク２８に貯留する液剤の種類としては、これに限定される訳でなく、例えば、シンク洗い用クレンザーに換えて液体の漂白剤を使用したり、より強力な洗浄力を有した食器洗い用洗剤を使用したりしてもよい。また、前記液剤貯留タンク２８の配設数についても、実施例１に限定されず、その数を増減させても構わない。すなわち、前記流し台１０の実施態様に合わせて、前記液剤貯留タンク２８の配設数や液剤の種類を変更すればよい。なお、液剤貯留タンク２８への液剤の補給・交換は、前記扉２２を開放させて、開口部２０を介して行なわれる。
【００１６】
前記液剤供給管２６と各液剤吸入管３８との分岐部には、前記夫々の液剤貯留タンク２８に接続している各対応の液剤吸入管３８と該液剤供給管２６との連通を選択的に切り替える切替弁３０が配設されている。すなわち、前記切替弁３０は、所望の液剤が選択された際に、該液剤が貯留された液剤貯留タンク２８と接続する液剤吸入管３８と液剤供給管２６とを連通させると共に、他の液剤吸入管３８との連通を遮断するよう構成される。
【００１７】
前記液剤供給管２６の途中に設けられるポンプ３２は、前記切替弁３０で切り替えられて連通する側の液剤吸入管３８から液剤貯留タンク２８中の液剤を吸引して前記液剤供給ノズル２４に供給するよう構成されている。すなわち、前記ポンプ３２は、所望の液剤が貯留された液剤貯留タンク２８から該液剤を吸引して、前記液剤供給ノズル２４へ供給し得るよう構成されている。なお、このポンプ３２としては、電力によって液剤を吸引する電動ポンプが好適に採用される。
【００１８】
また、前記流し台１０には、所望の液剤貯留タンク２８に切り替わるように、制御手段３４を介して前記切替弁３０に指令を出す液剤選択手段４２が配設されている。実施例１においては、液剤選択手段４２として切替スイッチ４２ａが採用されている。この切替スイッチ４２ａは、前記液剤貯留タンク２８の配設数に応じた切替接点を有しており、使用者が切替スイッチ４２ａを所望の液剤に設定することで該切替接点が切り替わり、これを認知した制御手段３４が、前記切替弁３０に対応の液剤吸入管３８を開放させるようになっている。なお、前記制御手段３４は、前記ポンプ３２および後述の洗浄弁４４にも接続されて、これらを制御可能となっている。
【００１９】
前記蛇口１６に接続する湯水供給管１８と前記液剤供給管２６とは、洗浄弁４４を介して洗浄水供給管４６によって連通しており、異なる種類の液剤を使用するに先立ち該洗浄弁４４を開放することで、前記湯水供給管１８からの湯水を該液剤供給ノズル２４に供給してノズル洗浄を行なうようになっている。すなわち、前記制御手段３４が切替スイッチ４２ａの接点が切り替わったことを検知すると、洗浄弁４４を開放させて、前記液剤供給ノズル２４へ洗浄水が供給されるよう構成されている。
【００２０】
(実施例１の作用)
次に、実施例１に係るキッチン用の流し台１０の作用について説明する。なお、前記切替スイッチ４２ａは、当初、「手洗い用洗剤」に設定されているものとする。食器を洗浄する際には、前記切替スイッチ４２ａを「食器洗い用洗剤」に切り替える。前記切替スイッチ４２ａの接点が切り替わったのを検知した制御手段３４は、洗浄弁４４を開放させて、前記液剤供給ノズル２４に洗浄水を供給する。すなわち、液剤供給管２６および液剤供給ノズル２４に残留していた手洗い用洗剤は洗浄水によって流されるので、食器洗い用洗剤の供給時に手洗い用洗剤が混入することはない。
【００２１】
洗浄水による洗浄が行われると、前記制御手段３４は、切替弁３０を制御して、前記液剤貯留タンクＡ２８に接続する液剤吸入管３８を開放させて前記液剤供給管２６と連通させると共に、手洗い用洗剤を貯留する液剤貯留タンクＢ２８と接続する液剤吸入管３８と液剤供給管２６との連通を閉成させる。なお、液剤貯留タンクＣ２８と接続する液剤吸入管３８は閉成したままである。この状態で、使用者が前記液剤供給ボタン４０を押すことで、ポンプ３２が液剤貯留タンクＡ２８から食器洗い用洗剤を吸引し、前記液剤供給ノズル２４から該洗剤が注出される。
【００２２】
また、食器洗いが終了して、例えば、シンク１４の洗浄を行なう場合には、前記切替スイッチ４２ａを「シンク洗い用クレンザー」に設定することで、該スイッチ４２ａの切替接点が切り替わる。これを検知した制御手段３４は、前記洗浄弁４４を開放してノズル洗浄を行なうと共に、切替弁３０を制御して、液剤供給タンクＣ２８に接続された液剤吸入管３８を開放させる。そして、前記液剤供給ボタン４０が押されると、シンク洗い用クレンザーが液剤供給ノズル２４から供給される。すなわち、実施例１に係るキッチン用の流し台１０は、複数種類の液剤を選択的に供給し得るよう構成したので、用途に合わせて各種の液剤を供給できる。また、液剤用のボトルやクレンザー等をシンクの周りに配置する必要がないので、流し台がスッキリして、不衛生になることもない。
【００２３】
また、実施例１に係るキッチン用の流し台１０は、切替スイッチ４２ａを捻るだけで液剤の種類を切り替えることが可能であり、液剤の切り替えが容易である。更に、複数の液剤貯留タンク２８は流し台１０の内部に設けられるので、該タンク２８が邪魔にならず、キッチンのスペースを有効に活用できる。更にまた、キッチンにおいて手が汚れた場合にも、流し台１０は手洗い用洗剤を供給することができるので、わざわざ洗面所まで行く必要がない。
【００２４】
(実施例１の変更例)
実施例１においては、液剤の切り替えを行なう液剤選択手段４２として切替スイッチ４２ａを使用したが、該スイッチ４２ａに換えて、液剤貯留タンク２８の配設数に応じた数の選択ボタンを採用することも可能である。すなわち、各液剤に対応する選択ボタンを流し台に配設し、使用者が該選択ボタンを押すことで、所望の液剤が供給されるようにしてもよい。
【実施例２】
【００２５】
次に、実施例２に係るキッチン用の流し台について、以下説明を行なう。なお、実施例２については、実施例１との変更点のみ説明を行なって、同一の構成については説明を省略する。
【００２６】
図２は、実施例２に係るキッチン用の流し台５８を示す斜視図であって、該流し台５８の上面中央部に非接触式の液剤選択手段４２が配設されている。すなわち、実施例２の流し台５８は、実施例１で示した切替スイッチ４２ａまたは選択ボタンに換えて、使用者が直接触れることなく液剤の選択を行ない得る液剤選択手段４２が設けられている。
【００２７】
液剤選択手段４２は、前記各液剤貯留タンクＡ〜Ｃ２８に対応する非接触センサ５６,５６,５６からなり、夫々の非接触センサ５６は、流し台５８の幅方向に所要間隔離間して設けられている。この非接触センサ５６,５６,５６としては、例えば、赤外線センサ等の検知手段が好適に使用される。また、この非接触センサ５６,５６,５６は、使用者の手を検知してその検知信号を前記制御手段３４に送るようになっている。そして、この検知信号を受信した制御手段３４は、その非接触センサ５６に対応する液剤貯留タンク２８の液剤吸入管３８と液剤供給管２６とが連通するよう前記切替弁３０を作動させるよう構成される。
【００２８】
また、前記液剤選択手段４２は、液剤の選択を行なうと共に、液剤の供給を開始させる機能も併せ持っている。すなわち、任意の非接触センサ５６が使用者の手を検知すると、制御手段３４は切替弁３０を切替えた後にポンプ３２を作動させ、液剤供給ノズル２４から液剤を自動的に供給させるようになっている。従って、実施例２の流し台５８には、実施例１の如き液剤供給ボタン４０が設けられていない。
【００２９】
なお、非接触センサ５６,５６,５６の配設位置は、上記の如く流し台５８の上面部に限られず、例えば、シンク１４の側面部に設けてもよい。また、液剤の種類(すなわち、液剤貯留タンク２８の配設数)が増減した場合には、それに合わせて非接触センサ５６の配設数が変更される。
【００３０】
(実施例２の作用)
次に、実施例２に係るキッチン用の流し台５８の作用について説明する。なお、前回の使用で、シンク洗い用クレンザーが選択されたものとする。例えば、食器洗い用洗剤を供給したい場合、使用者は図２の左側の非接触センサ５６上に手を翳す。この非接触センサ５６は作業者の手を検知して、該検知信号を制御手段３４へ送る。この検知信号を受信した制御手段３４は、異なる液剤が選択されたことを判断して前記洗浄弁４４を開放させ、液剤供給ノズル２４の洗浄を行なう。
【００３１】
ノズル洗浄後、制御手段３４は切替弁３０を作動させて、食器洗い用洗剤が入った液剤貯留タンクＡ２８に連通する液剤吸入管３８と前記液剤供給管２６とを連通させる。その後、直ちに制御手段３４は前記ポンプ３２を作動させて、液剤供給ノズル２４から食器洗い用洗剤が自動的に供給される。
【００３２】
すなわち、実施例２に係るキッチン用の流し台５８によれば、使用者は液剤選択手段４２に全く触れることなく液剤の選択・供給をすることができるので、手指に付着した洗剤等によって該選択手段４２や流し台５６が汚れることがなく衛生的である。
【実施例３】
【００３３】
次に、実施例３に係るキッチン用の流し台５０について、以下説明を行なう。なお、実施例３の説明においても、実施例１および２との変更点のみ説明を行ない、同一の構成については説明を省略する。また、液剤選択手段４２としては、実施例１と同様、切替スイッチ４２ａが使用され、液剤供給管２６の上部に液剤供給ボタン４０が配設されている。
【００３４】
実施例３に係るキッチン用の流し台５０は、複数の流し台を必要とする大型の飲食店やホテルの厨房、料理教室等において特に好適に実施されるものである。図３は、この流し台５０を並列的に複数(実施例２では４つ)配設した状態を示す概略説明図であって、前記複数の液剤貯留タンク２８と、切替弁３０と、ポンプ３２とは外部の１箇所に集中的に配置されている。すなわち、実施例３においては、複数の液剤貯留タンク２８、切替弁３０およびポンプ３２を各流し台５０の内部に配設するのではなく、外部に設けられた外部配置部５２に集中して配置するようになっている。
【００３５】
また、前記各流し台５０におけるシンク１４の液剤供給ノズル２４に、前記ポンプ３２から導出した所要数の液剤供給管２６が個別に接続され、夫々の液剤供給ノズル２４には、開閉自在な開閉弁５４が設けられている。すなわち、前記各流し台５０は、液剤供給管２６を介してポンプ３２と連通接続されており、前記液剤供給ノズル２４から液剤を選択的に供給し得るようになっている。更に、各流し台５０の液剤供給管２６には、常には該液剤供給管２６を閉成させると共に、液剤供給ボタン４０が押された時にのみ開放する開閉弁５４が設けられている。すなわち、各流し台５０における開閉弁５４は、液剤供給ボタン４０が押されたことを検知した時にのみ開放して液剤の流通を許容するようになっている。従って、液剤供給ボタン４０を押していない流し台５０には、液剤が供給されることはない。
【００３６】
なお、前記外部配置部５２に配設された制御手段３４は、全ての流し台５０における切替スイッチ４２ａと電気的に接続されて、各流し台５０から送られる液剤選択の指令に応じて切替弁３０の制御を行なうよう構成される。また、洗浄水を供給する洗浄水供給管４６は、夫々の流し台５０に配設された湯水供給管１８から分岐して設けられており、前記洗浄弁４４を介して各液剤供給管２６と接続してノズル洗浄を行ない得るようになっている。
【００３７】
(実施例３の作用)
次に、実施例３に係るキッチン用の流し台５０の作用について説明する。なお、各流し台５０における切替スイッチ４２ａは、当初、「手洗い用洗剤」に設定されているものとする。
【００３８】
任意の流し台５０における使用者が、前記切替スイッチ４２ａを「食器洗い用洗剤」に設定した際には、前記洗浄弁４４が開放してノズル洗浄が行なわれる。ノズル洗浄後、制御手段３４は、前記切替弁３０を制御して、液剤貯留タンクＡ２８に接続する液剤吸入管３８を開放させて液剤供給管２６と連通させると共に、液剤貯留タンクＢ２８と接続する液剤吸入管３８を閉成させる。そして、使用者が液剤供給ボタン４０を押すと、その流し台５０における開閉弁５４のみが開放して、液剤供給ノズル２４から食器洗い用洗剤が注出される。この時、他の流し台５０における開閉弁５４は閉成したままなので、それらの流し台５０に食器洗い用洗剤が供給されることはない。
【００３９】
すなわち、実施例３に係るキッチン用の流し台５０は、前記液剤貯留タンク２８、切替弁３０およびポンプ３２を外部配置部５２の１箇所に集中的に配置されているので、該タンク２８等が複数の流し台５０で共有される。従って、前記流し台５０を複数配設しても敷設コストを抑えることができる。さらに、液剤貯留タンク２８への液剤の補給・交換も効率的になる。
【００４０】
(実施例３の変更例)
実施例３では、前記複数の液剤貯留タンク２８、ポンプ３２および切替弁３０を外部配置部５２に集中的に配置したが、該タンク２８のみを外部に配置して、ポンプ３２および切替弁３０については、夫々の流し台５０に配設するようにしてもよい。このようにすることで、開閉弁５４を各流し台５０に設ける必要はなく、複数の流し台５０に各種の液剤を同時的に供給することも可能となる。
【図面の簡単な説明】
【００４１】
【図１】実施例１に係るキッチン用の流し台を示す説明断面図である。
【図２】実施例２に係るキッチン用の流し台を示す概略斜視図である。
【図３】実施例３に係るキッチン用の流し台を複数配設した状態を示す概略説明図である。
【符号の説明】
【００４２】
１０ 流し台(実施例１)
１２ 排水管
１４ シンク
１６ 蛇口
１８ 湯水供給管
２４ 液剤供給ノズル
２６ 液剤供給管
２８ 液剤貯留タンク
３０ 切替弁
３２ ポンプ
３４ 制御手段
３６ 開口部
３８ 液剤吸入管
４２ 液剤選択手段
４２ａ 切替スイッチ
４４ 洗浄弁
４６ 洗浄水供給管
５０ 流し台(実施例３)
５４ 開閉弁 
５６ 非接触センサ
５８ 流し台(実施例２)
【図１】
2006150048.tif 000003
【図２】
2006150048.tif 000004
【図３】
2006150048.tif 000005